(57)【要約】【課題】従来の風力発電は自然風を利用して発電するために発電が不均一で発電量は不安定であり、設置条件も立地の良し悪しに影響を受け、広い面積を必要とする等の難点を有している。【解決手段】本発明は、上記課題を解決するために、自然風に代わり、人為的に空気から風を作り常に安定した速度のある風量と極小化した受風面積で風のパワーを獲得し安定した発電量を発電し、建物の室内に設置できるコンパクトな大きさにした風力発電式空気動力装置である。【選択図】図２
2012110197.tif 000002
【特許請求の範囲】
【請求項１】
空気を風に変換する起動部、風に必要な風速と風量を得るための空気増幅噐と専用の部品１、２からなる増幅部、充分な風速と風量を受けて動力を発生する動力部、動力を受けて発電を行うエネルギー部、電気制御盤、運転を自動化するコンピューター制御等の制御部を備えた回路と構成になっている。
起動部と増幅部と動力部は連通していて風の通り道となっている。自然界での風力発電の仕組みを機械装置で実現した風力発電式空気動力装置である。
【請求項２】
起動部には電動ブロアまたは電動ファンで空気を風に変え、自然界で風が吹く状態を作る。ブロアまたはファンの起動は起動部に内蔵したにバッテリーによる。
起動以後の電動ブロアまたは電動ファンの電力は電気制御による自家供給消費となる。
増幅部では、外部から空気を吸引する性能を有した空気増幅噐（エゼクター）と専用の部品２により外部から空気を吸引して、必要な風速と風量を有する風を作る。
空気増幅噐が空気を吸引する量をより大きくするために空気増幅噐の入口に専用の部品１を接続して、空気増幅部で作った風を動力部に注ぎ込む。
動力部ハウジングには通常、本装置に必要な受風面積を有する大きさのブレードを装着した風車を格納し設置。
その動力部ハウジングに大きい風速と風量を得た風が流入しブレードに当ることでブレードが回転する。
その回転を、減速機を介してエネルギー部の発電機に必要な回転数に制御し伝達する。
動力部ハウジングにはブレードを通過した風が吹き抜ける排出口とブレードが円滑に回転するための排気調整孔が適量の範囲で施されている。この回路と構成からなる請求項１に記載した風力発電式空気動力装置。
【請求項３】
増幅部における空気増幅噐の設置数と配置は生産するエネルギー（発電量）の目標値によって変化する。その場合、空気増幅噐の設置数と配置は３通りある。
１つは縦列で複数設置であり、１つは並列での設置であり、１つは並列の各列に複数で縦列設置する場合である。いずれの場合にも空気増幅噐の性能を発揮する回路と方法を備えた請求項１に記載した風力発電式空気動力装置。
【請求項４】
空気増幅噐を縦列に複数設置した場合、空気増幅噐の性能を確保するための方法として専用の部品２を空気増幅噐の端末に接続する。この専用の部品２を配した請求項１に記載した風力発電式空気動力装置。
【請求項５】
空気増幅噐が空気の吸引量を大きくする専用の部品１は通過してくる風の速度を増加させる性能と構造を有している。この専用の部品１を配した請求項１に記載した風力発電式空気動力装置。
【発明の詳細な説明】
【技術分野】
【０００１】  本発明は、人為的に空気から風を起こし風力発電の方式を応用した発電を行う風力発電式空気動力装置に関する。
【背景技術】
【０００２】  従来から自然界の気象現象という制約の中で自然風を利用して発電している風力発電装置はあるが、その状態を機械的に実現して安定的な発電を行う装置はなかった。
人為的に空気から風を起こし、その風を風力発電の方式を応用した構造を有する風力発電式空気動力装置である。
【発明の概要】
【発明が解決しようとする課題】
【０００３】  従来の小型風力発電は自然風が起きなければ発電ができないため気象に順じた発電量となり、生産量が不安定でかつ小さい。小型風力発電の要となるブレードは自然風を受けるために自然界に設置されていて定格で定めた発電量を得るためには受風面積を大きくしなければならず設置場所の制約や面積の広さや本体、工事等のコストも大きいものとなっている。
そこで、この発明は、工事費が安価で本体体積が小さく僅かな面積に設置でき、常に安定した電気量の発電ができる風力発電式空気動力装置を提供することを課題とする。
【課題を解決するための手段】
【０００４】  本発明は、空気を人為的に風に変え、さらに空気増幅器によって外部から空気を増幅させ風速と風量を大きくする機構のため、常に安定した風速、風量を動力部ハウジングに供給してハウジング内の風車を回転させ、さらに減速機を介して発電機を駆動し、安定した電力供給を実現する風力発電式空気動力装置である。
【発明の効果】
【０００５】  本発明を具体化した発電装置は体積を小さくすることができるため、設置面積が少なくなり建物の室内の一角に設置できる。そのため送電に要する諸設備の維持管理の費用を大幅に削減できる。
また本発明は風速の大きな風を作ることができることから、常に安定した電気量の発電ができるようになる。その安定は発電能力が日積算から時間積算（ワットアワー）となり飛躍的な発電量を供給でき、石油や石炭等の化石燃料を要しないため、地球環境への負荷も飛躍的に改善できる
【図面の簡単な説明】
【０００６】
【図１】本発明の実施の形態を示す風力発電式空気動力装置のコンセプト図
【図２】本発明の実施の形態を示す風力発電式空気動力装置の一例を示す構成図
【図３】本発明の実施の形態を示す専用の部品１、２の一例を示す図。
【発明を実施するための形態】
【０００７】  請求項１に記載した発明は、風力発電の仕組みを小規模な機械装置で実現した装置であり、構成する部品数も少なく極めて簡便である。
本装置は空気増幅噐と専用の部品１、２により風を目的値に沿った風速と風量にすることができ、高回転の動力部の動力によって安定した発電と電力量ができる。
【０００８】  請求項２に記載した発明は、起動部には電動ブロアまたは電動ファンがあり起動時から常に一定の電力を消費する。
空気増幅噐（エゼクター）と専用の部品１、２により連通して通り抜ける高速の風は動力部ハウジングに格納されているブレードとロータを高回転させ、起動部で消費する電力の何倍も大きな電力を産み出す。
風車を回転させる力は、その受風面積と風の速度で成り立つ訳だから本装置は風を高速化すること
で受風面積を極小化し、自然界の風力発電の仕組みを機械装置で実現する構造と構成か  らなる。
【０００９】  請求項３に記載した発明は、空気増幅器（エゼクター）が、自身の出口が開放状態で性能を発揮するという特性があるため単体で使用されることが多い。
然しながら、本装置は空気増幅噐を複数使用する場合もあり、性能を発揮する空気増幅噐は限定されてしまう。それを解消する方策として複数設置する場合は空気増幅器の配置を並列に配置すると性能を発揮させることができる。
【００１０】  請求項４に記載した発明は、空気増幅噐を縦列に複数設置した場合、複数の内、１個は性能を発揮するが残りは発揮しない。空気増幅器は性能発揮のために開放を必要とする訳であるから、風を先導する駆動路と開放と同様の働きである排気路（調整弁付き）を内部構造に有した専用の部品２を空気増幅噐の端末に接続することで全ての性能を確保することができる。
【００１１】  請求項５に記載した発明は、空気増幅噐で大量の空気吸引を行うためには空気増幅噐に速度のある風を流入させることにある。駆動してきた風をさらに増速、加速させるために開発したのが専用の部品１である。
この部品を空気増幅器の入口に接続することでそれが実現できる。
【符号の説明】
【００１２】▲１▼電動ブロアまたは電動ファン
▲２▼空気増幅器・エゼクター
▲３▼部品１
▲４▼部品２
▲５▼ハウジング
▲６▼ブレード
▲７▼ロータ
▲８▼減速機
▲９▼発電機
▲１０▼電気制御盤
▲１１▼バッテリー
▲１２▼装置制御盤
▲１３▼ケース（外形パッケージ）
▲１４▼排気口
▲１５▼駆動路
▲１６▼開放（排気）路
▲１７▼調整弁
【図１】
2012110197.tif 000003
【図２】
2012110197.tif 000004
【図３】
2012110197.tif 000005